(57)【特許請求の範囲】
【請求項１】
ほぼ水平に伸びる主パイプの上に吊架線支持金具を介して並行２本の吊架線を支持する電車線用可動ブラケットにおいて、
前記吊架線支持金具は、主パイプ上にほぼ水平に固定されるベース金具と、２本の吊架線を載せ受ける２つの樋状金具を備えベース金具上に所定角度範囲で相対水平回動自在に取り付けられる受け金具と、前記樋状金具との間に吊架線を挟むように吊架線上に配置され受け金具に固定されるクランプ金具とを具備することを特徴とする電車線用可動ブラケット。
【請求項２】
前記ベース金具の中央及び前記受け金具の２つの樋状金具の間を垂直方向に貫通する枢軸によりベース金具と受け金具間が相対水平回動自在に結合され、
前記ベース金具における前記主パイプの軸線方向の両端部付近に形成されたボルト挿通孔と、前記受け金具において前記ボルト挿通孔と対応する位置に形成された主パイプの軸線とほぼ直交する方向の長軸を有する長孔とに垂直方向に貫通してナットに螺合する角度規制ボルトにより、ベース金具と受け金具の相対回転角度が規制されることを特徴とする請求項１に記載の電車線用可動ブラケット。
【請求項３】
前記クランプ金具の中央に前記枢軸の上端部にナットを螺合操作するための開口が設けられていることを特徴とする請求項２に記載の電車線用可動ブラケット。
【発明の詳細な説明】
【０００１】
【発明の属する技術分野】
この発明は、トロリ線とその上方のき電吊架線（以下「吊架線」という）を電車線路の途上において延線方向に移動自在に支持する可動ブラケットに関し、特に、吊架線が２本並行に設置される電車線路において、可動ブラケットの水平旋回に対して、旋回軸からの距離が異なる２本の吊架線を均等に移動させることができる電車線用可動ブラケットに係るものである。
【０００２】
【従来の技術】
ある種の可動ブラケットは、基端側が支柱に水平旋回自在に支持され、支柱から電車線路上へほぼ水平に伸びる主パイプの上に吊架線支持金具を介して並行２本の吊架線を支持する。従来の吊架線支持金具は、２本の吊架線を主パイプに対して相対移動できないように固定している。
【０００３】
【発明が解決しようとする課題】
可動ブラケットは、吊架線がその延線方向に移動する場合に、主パイプを水平旋回させることによってその移動を許容するようになっている。ところが、２本の吊架線が同時に同一方向へ同一距離移動しようとする場合に、２本の吊架線の主パイプの旋回軸からの距離が異なるために、主パイプの所定角度の水平旋回に対して、旋回軸に近い側の吊架線の移動距離が遠い側の吊架線の移動距離よりわずかに短くなる現象が生じる。このため、吊架線や可動ブラケットの吊架線支持金具に無理な応力がかかり、また吊架線支持金具による吊架線の把持部が滑って吊架線の表面に摩擦損傷を与えるという問題点がある。
従って、この発明は、主パイプの水平旋回に対して、２本の吊架線を延線方向にほぼ均等に移動させることができる可動ブラケットを提供することを目的としている。
【０００４】
【課題を解決するための手段】
この発明においては、上記課題を解決するため、吊架線支持金具５のベース金具９を主パイプ２上にほぼ水平に固定し、ベース金具９上に所定角度範囲で相対水平回動自在に受け金具１０を取り付け、この受け金具１０の２つの樋状金具１１に２本の吊架線Ｍを載せ受けるようにし、樋状金具１１との間に吊架線Ｍを挟むように、受け金具１１にクランプ金具１２を固定するようにして、可動ブラケット１を構成した。
２本の吊架線Ｍが同時に同一方向へ同一距離移動しようとし、主パイプ２が所定角度水平旋回してこれに追従しようとする場合、吊架線Ｍを挟持する受け金具１０とクランプ金具１２が主パイプに対して相対水平回転して、主パイプ２の旋回に対する２本の吊架線Ｍにおける移動許容距離の差違をなくし、２本の吊架線Ｍの均等な移動を実現する。
【０００５】
【発明の実施の形態】
図面を参照して本発明の実施の形態を説明する。図１は可動ブラケットの一部の正面図、図２は可動ブラケットの一部の平面図、図３は可動ブラケットの一部の側面図、図４は可動ブラケットの一部の分解斜視図、図５は可動ブラケットの全体の正面図である。
【０００６】
図５において、可動ブラケット１は、基端（図面右側）側を支柱等に水平旋回自在に枢支される。２は主パイプ、３は振止パイプ、４は斜め主パイプ、５は吊架線支持金具、６はアーム支持金具、７は曲線引金具である。トロリ線Ｔは、曲線引金具７の先端部に把持され、このトロリ線Ｔの上方に延線された２本の吊架線Ｍは吊架線支持金具５に把持されている。吊架線Ｍが温度変化に伴って、延線方向に移動する場合、可動ブラケット１は、主パイプ２を水平旋回させることによりこれに追随するようになっている。
【０００７】
図１乃至図４に示すように、吊架線支持金具５は、バンド金具８によって、主パイプ２上にほぼ水平に固定されるベース金具９と、２本の吊架線Ｍを載せ受ける２つの樋状金具１１を備えた受け金具１０と、樋状金具１１との間に吊架線Ｍを挟むように吊架線Ｍ上に配置されるクランプ金具１２とを具備する。
受け金具１０は、基板１３上に樋状金具１１を固着して成り、ベース金具９上に所定角度範囲で相対水平回動自在に取り付けられる。樋状金具１１は、受け金具１０に固定される。各樋状金具１１における基板１３の両端側の側面には、水平に延出する固定片１４が固着されている。固定片１４は、ボルト挿通用の凹所１４ａを備えている。
【０００８】
ベース金具９の中央と受け金具１０の基板１３の中央を垂直方向に貫通する枢軸１５とこれに螺合するナット１６により、ベース金具９と受け金具１０と間が、相対水平回動自在に結合される。
【０００９】
ベース金具９における主パイプ２の軸線方向の両端部付近に形成されたボルト挿通孔９ａと、このボルト挿通孔９ａに対応するように、受け金具１０の基板１３に形成された長孔１３ａとに、垂直方向に角度規制ボルト１７が貫通し、ナット１８で締め付けられる。基板１３に形成された長孔１３ａは、主パイプ２の軸線とほぼ直交する方向の長軸を有し、この長孔１３ａ内をボルト１７が相対移動する範囲で、ベース金具９と受け金具１０の相対回転角度が規制される。
【００１０】
クランプ金具１２は、両端部にボルト挿通孔１２ａを有し、中央に開口１２ｂを有する。ボルト挿通孔１２ａは、受け金具１０のボルト挿通用凹所１４ａに対応し、両者を貫通するボルト１９とこれに螺合するナット２０とで受け金具１０とクランプ金具１２とを締め付け、両者間に吊架線Ｍを挟持する。開口１２ｂは、枢軸１５の上端部にナット１６を螺合する操作用のものである。
以上のような可動ブラケット１に支持された２本の吊架線Ｍが、温度変化に伴い同時に同一方向へ同一距離移動しようとすると、主パイプ２が所定角度水平旋回してこれに追従する。この場合、可動ブラケット１の旋回軸から各吊架線Ｍまでの距離が、各々異なるので、旋回軸に近い側の吊架線Ｍと遠い側の吊架線Ｍとでは、移動距離に差違が生じることになるが、吊架線Ｍを挟持する受け金具１０とクランプ金具１２が、主パイプ２に対して相対水平回転して、主パイプ２の旋回に対する２本の吊架線における移動許容距離の差違をなくし、２本の吊架線の均等な移動を実現する。
【００１１】
【発明の効果】
以上のように、本発明は、吊架線支持金具５のベース金具９を主パイプ２上にほぼ水平に固定し、ベース金具９上に所定角度範囲で相対水平回動自在に受け金具１０を取り付け、この受け金具１０の２つの樋状金具１１に２本の吊架線Ｍを載せ受けるようにし、樋状金具１１との間に吊架線Ｍを挟むように、受け金具１１にクランプ金具１２を固定するようにして、可動ブラケット１を構成したため、２本の吊架線Ｍが同時に同一方向へ同一距離移動しようとし、主パイプ２が所定角度水平旋回してこれに追従しようとする場合、吊架線Ｍを挟持する受け金具１０とクランプ金具１２が主パイプに対して相対水平回転して、主パイプ２の旋回に対する２本の吊架線Ｍにおける移動許容距離の差違をなくし、２本の吊架線Ｍの均等な移動を実現することができるという効果を有する。
【図面の簡単な説明】
【図１】可動ブラケットの一部の正面図である。
【図２】可動ブラケットの一部の平面図である。
【図３】可動ブラケットの一部の側面図である。
【図４】可動ブラケットの一部の分解斜視図である。
【図５】可動ブラケットの全体の正面図である。
【符号の説明】
１    可動ブラケット
２    主パイプ
３    振止パイプ
４    斜め主パイプ
５    吊架線支持金具
６    アーム支持金具
７    曲線引金具
８    バンド金具
９    ベース金具
９ａ  ボルト挿通孔
１０  受け金具
１１  樋状金具
１２  クランプ金具
１２ａ  ボルト挿通孔
１２ｂ  開口
１３    基板
１３ａ  長孔
１４  固定片
１４ａ  ボルト挿通用凹所
１５  枢軸
１６  ナット
１７  角度規制ボルト
１８  ナット
１９  ボルト
２０  ナット
【図１】
0003799281.tif 000002
【図２】
0003799281.tif 000003
【図３】
0003799281.tif 000004
【図４】
0003799281.tif 000005
【図５】
0003799281.tif 000006